(57)【特許請求の範囲】
【請求項１】
矩形状の底板の前後の側縁に沿って折目線を介して前後一対の側板を連設し、後側板の左右の側縁に沿って折目線を介して一対の第１舌片を連設し、後側板の先端縁に折目線を介して天蓋板を連設し、天蓋板の左右の側縁に沿って折目線を介して一対の足片を連設し、前側板の左右の側縁に沿って折目線を介して一対の第２舌片を連設し、底板の左右の側縁に沿って折目線を介して左右一対の外側板を連設し、左右一対の外側板の先端縁に折目線を介して左右一対の内側板を連設し、
前記前後一対の側板を起立させ、両第１、及び両第２舌片を内方に直角に折り曲げ、左右一対の外側板を起立させ、左右一対の内側板を、外側板と内側板との間に第１、及び第２舌片を上方から挟み込むように内方に折返し、足片を内方に直角に折り曲げ、天蓋板を、足片が内側板の内側に収容され、且つ、足片が底板に接地するように、水平に折り曲げて組立てられ、
前記両第２舌片は、前側板が開閉自在となるように、外側板と内側板との間で回動自在な形状であることを特徴とする包装箱。
【請求項２】
前記両第２舌片は、前側板の開口動作に伴って回動し、外側板と内側板との間から完全に抜け出る直前に、外側板と内側板との間の折目線部によって係止される形状であることを特徴とする請求項１記載の包装箱。
【発明の詳細な説明】
【０００１】
【発明の属する技術分野】
本発明は、折目線を介して連設された複数の板を折目線に沿って折り曲げることによって組み立てられる包装箱に関する。
【０００２】
【従来の技術】
従来の包装箱は、天板が開閉自在な包装箱は側板は開閉できず、逆に側板が開閉自在な包装箱は天板は開閉できなかった。包装箱は、積み重ねられることが多いため、天板のみ開閉自在な包装箱の場合、下方の包装箱の内容物を取り出すには、上方の包装箱をすべて取り除いてから内容物を取り出さなければならない。
【０００３】
また、側板のみが開閉自在な包装箱の場合、下方の包装箱の内容物を取り出すには側面から内容物を取り出せるので問題はない。しかしながら、最上段の包装箱の内容物を取り出す際にも側面から取り出さなければならず、開口面積を広く取ることができる天板を開口できないため、内容物が取り出しにくいという問題がある。そこで、天板と側板との両方が開閉自在な包装箱の登場が切望されていた。
【０００４】
しかしながら、通常の包装箱は、４つの側板が連結保持されて、初めて積重強度を維持することができるものである。側板を開閉自在とするために、４つの側板の内の１つの側板が連結保持状態から解除されると、３つの側板のみが連結保持された状態となる。すると、連結保持された３つの側板のうち、連結状態が解除された箇所近傍は、左右方向に変形しやすくなり、積重強度は著しく低下する。
【０００５】
よって、十分な積重強度を維持することができ、かつ、天板と側板との両方が開閉自在な包装箱の発明は困難を極めた。
【０００６】
【発明が解決しようとする課題】
本発明は上記背景を鑑みてなされたものであり、積み重ねられた場合であっても内容物を取り出しやすくするために、天板と側板との両方が開閉自在であり、かつ、十分な積重強度を有する包装箱を提供することを目的とする。
【０００７】
【課題を解決するための手段】
上記目的を達成するため、本発明の包装箱は、矩形状の底板の前後の側縁に沿って折目線を介して前後一対の側板を連設し、後側板の左右の側縁に沿って折目線を介して一対の第１舌片を連設し、後側板の先端縁に折目線を介して天蓋板を連設し、天蓋板の左右の側縁に沿って折目線を介して一対の足片を連設し、前側板の左右の側縁に沿って折目線を介して一対の第２舌片を連設し、底板の左右の側縁に沿って折目線を介して左右一対の外側板を連設し、左右一対の外側板の先端縁に折目線を介して左右一対の内側板を連設し、前記前後一対の側板を起立させ、両第１、及び両第２舌片を内方に直角に折り曲げ、左右一対の外側板を起立させ、左右一対の内側板を、外側板と内側板との間に第１、及び第２舌片を上方から挟み込むように内方に折返し、足片を内方に直角に折り曲げ、天蓋板を、足片が内側板の内側に収容され、且つ、足片が底板に接地するように、水平に折り曲げて組立てられ、前記両第２舌片は、前側板が開閉自在となるように、外側板と内側板との間で回動自在な形状であることを特徴とする。
【０００８】
また、前記両第２舌片は、前側板の開口動作に伴って回動し、外側板と内側板との間から完全に抜け出る直前に、外側板と内側板との間の折目線部によって係止される形状であることが好ましい。
【０００９】
本発明の包装箱によれば、天蓋板は従来の包装箱と同様に上方に引張することにより開口することができる。天蓋板を閉塞する際には、足片が内側板の内側に収容され、天蓋板の閉塞する動作を案内する。また、両第２舌片は外側板と内側板との間で回動自在な形状であるため、前側板は開閉自在となる。これにより本発明の包装箱は、天蓋板と前側板との両方が開閉自在となる。
【００１０】
また、第１舌片と第２舌片とが外側板と内側板との間に挟み込まれているため、第１舌片と第２舌片とに連設している前後一対の側板は、両外側板と連結保持された状態となる。また、両第２舌片は、前側板の開口動作の際においても、外側板と内側板との間に差し込まれた状態を維持する。このため、本発明の包装箱は、両第２舌片が外側板と内側板との間から抜け出るまでは、両外側板と前側板とが連結保持された状態を維持する。
【００１１】
また、一対の足片は、天蓋板の下方に延在し底板に接地して、天蓋板を支持している。また、左右一対の側板は、両外側板と両内側板とにより２重側板となる。これにより本発明の包装箱は、当該一対の足片と、当該一対の外側板と内側板とにより十分な積重強度を発揮する。
【００１２】
なお、両第２舌片は、前側板の開口動作に伴って回動し、外側板と内側板との間から完全に抜け出る直前に、外側板と内側板との間の折目線部によって係止される形状であることが好ましい。これにより、両第２舌片が外側板と内側板との間から完全に抜け出ることが防止され、両外側板と前側板との連結保持状態が常に維持される。
【００１３】
【発明の実施の形態】
本発明の一実施形態を図１から図４を参照して説明する。図１は本発明の一実施形態の包装箱１の展開図、図２は本実施形態の包装箱１の組立て工程を示す説明図、図３は本実施形態の包装箱１の天蓋板２と前側板３とを開口した状態を示す説明図、図４は本実施形態の包装箱１を３段に積み重ねた場合の説明図である。
【００１４】
本実施形態の包装箱１は、直方体状に形成され、内部に例えば袋包装された菓子等のように自立性のない複数の物品等が包装される。この包装箱１は、図１に示すように、打抜き形成された段ボール板紙４によって組み立てられる。段ボール板紙４は、図示するように、左右対称に形成されている。即ち、矩形状の底板５を備え、底板５の左右の側縁には折目線ａを介して左右一対の外側板６が連設されている。左右一対の外側板６の先端縁には平行する一対の折目線ｂ、ｃを介して左右一対の内側板７が連設されている。内側板７の中央先端縁には、突起８が設けられている。
【００１５】
底板５には、左右側縁の各折目線ａに沿った中央部に挿着孔９が形成されている。挿着孔９は、内側板７が折り返された際に底板５側に突出する突起８が挿着係合するように設けられている。
【００１６】
また、底板５の前後の側縁には折目線ｄ、ｅを介して前後一対の側板３、１０が連設されている。後側板１０の左右の側縁には、折目線ｆを介して一対の第１舌片１１が連設されている。後側板１０の先端縁には折目線ｇを介して天蓋板２が連設されている。天蓋板２の中央先端縁には切欠部１２が設けられている。
【００１７】
天蓋板２の左右の側縁には、折目線ｈを介して一対の足片１３が連設されている。両足片１３は、折目線ｇの延長上に延在する第１直線辺１３ａを有する。また、両足片１３は、天蓋板２の先端縁の延長上に延在する第１曲線辺１３ｂを有する。また、両足片１３は、第１直線辺１３ａの先端と第１曲線辺１３ｂの先端とを接続し、折目線ｈに平行な第２直線辺１３ｃを有する。第１直線辺１３ａの長さは、外側板６及び内側板７の先端から基端までの長さと等しい。また、第１曲線辺１３ｂは、折目線ｇの端を中心とする最大径を、外側板６及び内側板７の前後方向の長さよりも、短く形成されている。
【００１８】
前側板３の左右の側縁には、折目線ｉを介して一対の第２舌片１４が連設されている。両第２舌片１４は、折目線ｄの延長上に延在する第３直線辺１４ａを有する。また、両第２舌片１４は、第３直線辺１４ａの先端から折目線ｊの端に向かって、第２曲線辺１４ｂを有する。第２曲線辺１４ｂは、折目線ｄの端を中心とする最大径を、外側板６の先端から基端までの長さよりも短く形成されている。この第３直線辺１４ａと第２曲線辺１４ｂによって、前側板３が開閉自在となるように外側板６と内側板７との間で回動自在な形状を形成している。なお、両第２舌辺１４の形状はこれに限られず、回動自在であれば三角形状等でもよい。
【００１９】
また、直線辺１４ａの先端部及び第２曲線辺１４ｂの先端部には、第２舌辺１４の先端部から折目線ｉまでの垂線の長さが、外側板６及び内側板７の先端から基端までの長さよりも長い係止部１５が設けれている。前側板３の先端には、折目線ｊを介して天フラップ１６が連設さている。
【００２０】
次に、以上の構成からなる包装箱１の組立て工程を図２を参照しつつ説明する。なお、図２においては、包装箱１の左側半部を図示したが右側半部についても同様に組立が行われる。まず、図２（ａ）に示すように、前後側板３、１０を折目線ｄ、ｅを介して折り曲げ起立させる。このとき、前後側板３、１０と共に天蓋板２と天フラップ１６と第１、第２舌片１１、１４とが立ち上げられる。次いで、図２（ｂ）に示すように、第１、第２舌片１１、１４を折目線ｆ、ｉを介して内方に直角に折り曲げる。
【００２１】
続いて、図２（ｃ）に示すように、外側板６を折目線ａを介して折り曲げ起立させる。このとき、外側板６と共に内側板７が立ち上げられる。次いで、図２（ｄ）に示すように、内側板７を、上方から外側板６と内側板７との間に第１、第２舌片１１、１４を挟み込むように、折目線ｂ、ｃを介して内側に折返す。このとき、突起８は挿着孔９に挿着され係止されることにより、第１、第２舌片１１、１４が外側板６と内側板７との間に挟み込まれた状態を維持しやすくなる。
【００２２】
続いて、図２（ｅ）に示すように、足片１３を折目線ｈを介して内方に直角に折り曲げる。また、図示するように、天フラップ１６を折目線ｊを介して内方に垂直に折り曲げる。次いで、図２（ｆ）に示すように、天蓋板２を、足片１３が内側板７の内側に収容されるように、折目線ｇを介して垂直に折り曲げる。
【００２３】
本実施形態の包装箱１よれば、図３に示すように、天蓋板２と前側板３との両方が開閉自在な包装箱１を提供することができる。具体的に説明すると、図１を参照して、第２曲線辺１４ｂの、折目線ｄの端を中心とする最大径が、外側板６の先端から基端までの長さよりも短く形成されている。このため、第２舌片１４が、前側板３の開口動作に伴って回動しようとする際に折目線ｃ、ｄ間に係止されない。これにより、前側板３は開閉自在となる。
【００２４】
また、足片１３は、折目線ｇの端を中心とする最大径を、外側板６の前後方向の長さよりも短く形成されている。このため、足片１３は、天蓋板２の開口に伴って回動する際に、前側板３に係止されることはない。これにより、天蓋板２も開閉自在となる。
【００２５】
また、本実施形態の包装箱１によれば、図４に示すように、従来の包装箱と同様の積重強度を維持することができる包装箱１を提供することができる。具体的に説明すると、図１を参照して、第１舌片１１と第２舌片１４とが外側板６と内側板７との間に挟み込まれているため、第１舌片１１と第２舌片１４とに連設している前後一対の側板３、１０は、両外側板６と連結保持された状態となる。
【００２６】
また、両第２舌片１４は、前側板６の開口動作の際においても、外側板６と内側板７との間に差し込まれた状態を維持する。また、第２舌片１４には、係止部１５が設けられているため、第２舌片１４は、外側板６と内側板７との間から完全に抜け出る直前に係止部１５が折目線ｃ、ｄ間に係止される。よって、第２舌片１４は、前側板３を開口しすぎることにより外側板６と内側板７との間から完全に抜け出ることがなく、常に、外側板６と前側板３との連結状態を維持することができる。
【００２７】
また、足片１３の第１直線辺１３ａの長さは、左右の外側板６、及び内側板７の先端から基端までの長さと等しく形成されている。ゆえに、天蓋板２は、足片１３の先端が底板５に接地することによってより確実に支持されている。また、天フラップ１６によっても、天蓋板２が支持されている。また、左右一対の側板は、外側板６と内側板７との２重の側板で構成されている。以上により本発明の包装箱１は、従来の包装箱と同様の積重強度を維持することができる。
【００２８】
なお、天蓋板２には、切欠部１２が設けられているため、容易に天蓋板３に指をかけて開口することができる。
【００２９】
また、本実施形態の包装箱１によれば、図４に示すように、包装箱１を上方に３段積み重ねた場合であっても、上方の包装箱１を移動させることなく、下段、中段の包装箱１の内容物を前側板３を開口して取り出すことができる。また、図４に示すように、最上段の包装箱１については、天蓋板２も開閉自在となる。これにより、開口面積の広い天蓋板２から内容物を取り出すことができる。
【図面の簡単な説明】
【図１】本発明の一実施形態の包装箱の展開図。
【図２】本実施形態の包装箱の組立て工程を示す説明図。
【図３】本実施形態の包装箱の天蓋板と前側板とを開口した状態を示す説明図。
【図４】本実施形態の包装箱を３段に積み重ねた場合の説明図。
【符号の説明】
１…包装箱、  ２…天蓋板、  ３…前側板、  ４…段ボール板紙、  ５…底板、６…外側板、７…内側板、  ８…突起、  ９…挿着孔、１０…後側板、１１…第１舌片、  １２…切欠部、１３…足片、１４…第２舌片、１５…係止部、１６…天フラップ、ａ〜ｊ…折目線。
【図１】
0004115717.tif 000002
【図２】
0004115717.tif 000003
【図３】
0004115717.tif 000004
【図４】
0004115717.tif 000005